Podtech/llm-jp-corpus-v4-ja_patent huggingface dataset:
(57)【要約】【課題】  本発明は、水槽から水をくみ上げ上部パイプから流し、水を循環させながら、育成ポット内の固定材（保水効果がある海面を使用）に、種および苗をはさみ固定し、流水式の水耕栽培ができる流水式水耕栽培機を提供する。【解決手段】  取付台（１）の周囲に階段状に育成パイプ（２）を設け、育成パイプ（２）の上部に吸水口（３）を、下部に排水口（４）を、設け、育成パイプ（２）に水高安定弁（５）を設け、育成パイプ（２）に整列状態に複数個の育成ポット差込口（６）を設け、取付台（１）の下部に水槽（７）を設け、水槽（７）に給水管（８）を設け、給水管（８）に育成パイプ（２）を取り付け、水槽（７）にポンプ（１１）を取り付け、育成ポット差込口に育成ポット（９）を取り付け、モーターポンプ（１１）を運転させるための、電源（１２）は、太陽光パネル電池、または１２ボルトバッテリーを使うことを特徴とした流水式水耕栽培機。【選択図】図１
2010035540.tif 000002
【特許請求の範囲】
【請求項１】
（イ）取付台（１）の周囲に階段状に育成パイプ（２）を設ける。
（ロ）育成パイプ（２）の上部に吸水口（３）を、下部に排水口（４）を設ける。
（ロ）育成パイプ（２）に水高安定弁（５）を設け、育成パイプ（２）に整列状態に複数個の育成ポット差込口（６）を設ける。
（ハ）取付台（１）の下部に水槽（７）を設ける。
（ニ）水槽（７）に給水管（８）を設け、給水管（８）に育成パイプ（２）を取り付ける。
（ホ）水槽（７）にポンプ（１１）を取り付ける。
（ヘ）育成ポット差込口に育成ポット（９）を取り付ける。
（ト）モーターポンプ（１１）を運転させるための、電源（１２）は、太陽光パネル電池、または１２ボルトバッテリーを使う。
以上のように構成された流水式水耕栽培機。
【発明の詳細な説明】
【技術分野】
【０００１】  本発明は、水槽から水をくみ上げ上部パイプから流し、水を循環させながら、育成ポット内の固定材（保水効果がある海面を使用）に、種および苗をはさみ固定し、流水式の水耕栽培ができる流水式水耕栽培機に関するものである。
【背景技術】
【０００２】  従来の水耕栽培設備より設備費が安価で、生産量も倍以上であり、生産スピードを上げ良質の園芸植物を市場に出し、高い利益を生むことを目的とした、多品種対応万能水耕設備があった（特許文献１参照）。
完全制御型光植物工場における植物栽培用の施設の構造に関して、最も経営効率の高い集約した栽培装置の基本構造を提案した、植物育成用水耕栽培装置の構造があった（特許文献２参照）。
既存雨樋等を利用することで、設備投資を抑え、樋内の植物の移動に養液の水流を利用して省エネを計り、装置を立体化することによって単位面積当りの増収を計る立体水耕栽培装置があった（実用新案文献３参照）。
【発明の開示】
【発明が解決しようとする課題】
【０００３】  そのため、次のような問題点があった
（イ）庭がなくて、ガーデニングをあきらめていた。
（ロ）気軽に安全野菜を自分で作ることはできなかった。
本発明は、これらの問題点を解決するためになされたものである。
【課題を解決するための手段】
【０００４】（イ）取付台（１）の周囲に階段状に育成パイプ（２）を設ける。
（ロ）育成パイプ（２）の上部に吸水口（３）を、下部に排水口（４）を設ける。
（ロ）育成パイプ（２）に水高安定弁（５）を設け、育成パイプ（２）に整列状態に複数個の育成ポット差込口（６）を設ける。
（ハ）取付台（１）の下部に水槽（７）を設ける。
（ニ）水槽（７）に給水管（８）を設け、給水管（８）に育成パイプ（２）を取り付ける。
（ホ）水槽（７）にポンプ（１１）を取り付ける。
（ヘ）育成ポット差込口に育成ポット（９）を取り付ける。
（ト）モーターポンプ（１１）を運転させるための、電源（１２）は、太陽光パネル電池、または１２ボルトバッテリーを使う。
以上のように構成された流水式水耕栽培機。
【発明の効果】
【０００５】  庭がなくても水耕栽培ができる。
有機栽培ができる。
水耕栽培は土を使わないので、初めてでも簡単にできて、手間がかからない。
早く、良く育つので、虫がつきにくいなど、従来のガーデニングにはない多くのメリットがある。
【発明を実施するための最良の形態】
【０００６】  以下、本発明の実施の形態について説明する。
（イ）三角形状の取付台（１）の周囲に階段状に育成パイプ（２）を設ける。
（ロ）育成パイプ（２）の上部に吸水口（３）を、下部に排水口（４）を設ける。
（ロ）育成パイプ（２）に水高安定弁（５）を設け、育成パイプ（２）に整列状態に複数個の育成ポット差込口（６）を設ける。
育成ポット（２）に常に水に浸かる様、水高安定弁をパイプ内部に装着する。
（ハ）取付台（１）の下部に水槽（７）を設ける。
（ニ）水槽（７）に給水管（８）を設け、給水管（８）に育成パイプ（２）を取り付ける。
（ホ）水槽（７）にポンプ（１１）を取り付ける。
（ヘ）育成ポット差込口（４）に育成ポット（９）を取り付け、固定材（１０）を入れる。
育成ポット（９）は、差し込み式で、常に掃除が可能である。
（ト）モーターポンプ（１１）を運転させるための、電源（１２）は、太陽光パネル電池、または１２ボルトバッテリーを使う。
本発明は、以上の構成よりなっている。
本発明を使用するときは、育成ポット差込口（５）に育成ポット（９）を取り付け、固定材（１０）を入れる。
育成ポット内の固定材（保水効果がある海面を使用）に種および苗をはさみ固定する。
水高安定弁から流水する際、落ちる勢いで空気と混じり自動的に水槽内に酸素が取り込まれる。
モーターポンプ（１１）を運転させるための、電源（１２）は、太陽光パネル電池、または１２ボルトバッテリーを使う。
育成ライトを使えば、太陽が当たらない室内にて栽培が可能である。
電源（１２）は、家庭用の電源が使える。
高温の地域、高温の季節のときでも、水槽の水が高温にならないように、水冷機を取り付ければ使える。
低温の地域、低温の季節のときでも、水槽の水が低温にならないように、加温機を取り付ければ使える。また、低温の地域、低温の季節のときでも、専用ビニールで覆い、ビニール温室のような形で使うことができる。
【図面の簡単な説明】
【０００７】
【図１】  本発明の斜視図である。
【図２】  本発明の平面図である。
【図３】  本発明の正面図である。
【図４】  本発明の側面図である。
【符号の説明】
【０００８】  １  取付台
２  育成パイプ
３  吸水口
４  排水口
５  水高安定弁
６  育成ポット差込口
７  水槽
８  給水管
９  育成ポット
１０  固定材
１１  ポンプ
１２  電源
【図１】
2010035540.tif 000003
【図２】
2010035540.tif 000004
【図３】
2010035540.tif 000005
【図４】
2010035540.tif 000006
【図５】
2010035540.tif 000007
【手続補正書】
【提出日】平成20年10月17日(2008.10.17)
【手続補正１】
【補正対象書類名】明細書
【補正対象項目名】０００７
【補正方法】変更
【補正の内容】
【０００７】
【図１】  本発明の斜視図である。
【図２】  本発明の平面図である。
【図３】  本発明の正面図である。
【図４】  本発明の側面図である。
【図５】  本発明の育成ポットの拡大図である。
(57)【要約】      （修正有）【課題】練り込み海苔を提供する。【解決手段】海苔に相性の合う素材とを組み合せた練り込み海苔であって、海苔に梅、鰹、醤油、辛子明太子、桜海老、じゃこなどの素材を加え、練り込んだ後に加熱乾燥した成形海苔である。【効果】醤油味、梅鰹味、桜海老味、辛子明太子味、じゃこ味のする乾燥海苔であって、製造も簡単で、安値であり、ご飯に巻くだけで美味しく、茶碗に入れてお茶を注ぐだけで、お茶漬けとして楽しめる海苔である。【選択図】図１
2010035541.tif 000002
【特許請求の範囲】
【請求項１】
生海苔に醤油や、梅、鰹、桜海老、辛子明太子、じゃこなどを練り込んだ加熱乾燥海苔である。
【請求項２】
醤油味、梅鰹味、桜海老味、辛子明太子味、じゃこ味のする乾燥海苔である。
【発明の詳細な説明】
【技術の分野】
【０００１】  従来の乾燥海苔の技術を応用する事で十分対処、製造する事が可能である。
【背景技術】
【０００２】  現在出回っている味付の海苔は、一部切海苔として売れてはいるが、素材その物を練り込んだ海苔はまだ販売されていない。そこで考案された物である。
【発明の開示】
【発明が解決しようとする課題】
【０００３】  今までにない新しい発想の海苔で、従来の海苔にはない革命的な新商品である。
【課題を解決するための手段】
【０００４】  生海苔を乾燥する前の段階で、素材を練り込み加熱乾燥させ、商品とするのである。
【発明の効果】
【０００５】  従来にない海苔で試作、試食の結果好評であった。
【発明を実施するための最良の形態】
【０００６】  従来何百年と海苔の歴史は古く、あまり変化のない商品で現在に至っている。海苔に新風を吹き込み、海苔業界に活力を与える物である。
【実施例】
【０００７】  開発研究の結果、大変好評で画期的で満足な商品となった。
【産業上の利用可能性】
【０００８】  海苔業界に新たな活力と衝撃を与え、海苔業界の発展に貢献するのである。
【図面の簡単な説明】
【０００９】
【図１】  製造工程
【符号の説明】
【００１０】    Ａ  生海苔                                Ｄ  釜          ＡＢ  素材
Ｂ  梅、鰹、辛子明太子、桜海老、じゃこ    Ｅ  バーナー    Ｌ  攪拌機
Ｃ  スノコ                                Ｆ  練り込み海苔
【図１】
2010035541.tif 000003
(57)【要約】【課題】魚釣りで使うルアーで思わぬ大物による釣り糸切れやアワセ切れすることがあった。ゴムのクッションによる糸への負担軽減がなかったため糸がアワセ切れすることがあった。また，糸を細くしてキャスティング距離を伸ばすことができなかった。【解決手段】ルアーの内部にウレタン性クッションゴムを内蔵することで釣り糸にかかる負担が軽減でき糸切れを防ぐことができる。ウレタン性クッションゴムのクッションの効果で細い釣り糸が使うことができキャスティング（ルアーの遠投）距離を伸ばすことができるようになった。【選択図】図２
2010035547.tif 000002
【特許請求の範囲】
【請求項１】
魚釣りで使うルアー（疑似餌）魚本物そっくりに似せて作った餌に針をつけたものにウレタンクッションゴムを内蔵し思わぬ大物による釣糸切れアワセ切れを防ぐ効果があり
また，ウレタンゴムのクッションの効果で細い釣糸が使うことができキャスティングの距離を伸ばすことができるルアー。
【発明の詳細な説明】
【技術分野】
【０００１】本発明は，魚釣りで使うルアーに関する。
【背景技術】
【０００２】従来のルアーにはウレタン性クッションゴムのクッションがなく糸切れすることがあった。
【発明の開示】
【発明が解決しようとする課題】
【０００３】しかし、これでは大物がかかった時やアワセのときに糸が切れることがあった。
また，ウレタン性クッションゴムのクッションの効果で細い釣り糸が使うことができキャスティング（ルアーの遠投）距離を伸ばすことができる。
【課題を解決するための手段】
【０００４】そこで、図２図３図４図５のようにウレタン性クッションゴムをルアー内に内臓することで釣り糸にかかる負担を減らし釣り糸切れなどを防ぐことができる。
【発明の効果】
【０００５】よって、本発明により思わぬ大物による釣糸切れ、アワセ切れを防ぐ効果がある。
また，ウレタン性クッションゴムのクッションの効果で細い釣り糸が使うことができキャスティング（ルアーの遠投）距離を伸ばすことができるルアー。
【発明を実施するための最良の形態】
【０００６】本発明に係るルアーは図２、図３、図４、図５に示すように１ウレタン性クッションゴムを備えている。
１ウレタン性クッションゴムは図４のように２、固定ピンでルアー内に固定する。
１．は素材はウレタン性クッションゴムが望ましい。２．固定ピンはステンレスが望ましい。
【図面の簡単な説明】
【０００７】
【図１】従来のルアーの側面図である。
【図２】正面斜めから見た本発明のルアーの図である。
【図３】本発明ルアー側面図。
【図４】本発明のルアーの側面からの断面図である。
【図５】本発明の上部からの断面図である。
【符号の説明】
【０００８】１、ウレタン性クッションゴム
２、固定ピン（ステンレス製）
【図１】
2010035547.tif 000003
【図２】
2010035547.tif 000004
【図３】
2010035547.tif 000005
【図４】
2010035547.tif 000006
【図５】
2010035547.tif 000007
(57)【要約】      （修正有）【課題】バドミントンのシャトルを直列にストックしたものを一個一個分離供給せしめ、滑走レール上に落下し定位置で停止したシャトルをシャトルの尾部よりシャトル頭部の後部を打つことによりシャトルを安定して飛ばす。【解決手段】シャトルを円筒状の筒の中に直列に収納できるようにし、これを二個の把持爪２を交互に動かすことによりシャトルを一個一個分離せしめ、落下し定置に停止したシャトルを、モーター６の回転で回転せしめバネ７の力で引き戻されるアーム５およびこれに取り付けられたハンドによりシャトルを打ち出す。【選択図】図１
2010035577.tif 000002
【特許請求の範囲】
【請求項１】
シャトルの羽根の尾部内側からコルクの後部を突いてシャトルを飛ばす放出方法。
【請求項２】
野球の打撃練習にバドミントンのシャトルを一個ずつ自動放出することを特徴とする打撃練習装置。
【請求項３】
滑走レール上で落下してきたシャトルを定位置で停止せしめるために滑走レールの当該の位置に内側両側面より滑走レール中央に向けて放出方向に斜めに取り付けられた薄板状の弾性をもった止め羽根
【発明の詳細な説明】
【技術分野】
【０００１】
本発明は、バドミントンや野球のバッティング練習に使用されるシャトル放出機に関する。
【背景技術】
【０００２】
バドミントンについてはシャトルを一個一個自動で放出できる装置が求められている。また野球のバッティング練習においては軟式ボール、硬式ボールに代わって人手によりバドミントンのシャトルを投げて打撃練習がなされることがある。
【発明の開示】
【発明が解決しようとする課題】
【０００３】
この発明は人手に変わって数十本のシャトルをストックでき１本づつ放出可能とならしめ、シャトルが回転することなくきれいな飛翔体勢を保って飛ばすものである。    
【課題を解決するための手段】
【０００４】
この課題を解決するため、シャトルを装てんしやすいように前部を下にして直列に挿入する方法をとる。シャトルは装てん部の最下部において上下の把持爪を交互に開閉させることによりシャトルを１個ずつ分離して落とすようにして、これを滑走レールの定位置まで自然落下させ停止したところで、これをクランク機構を利用し、ばねの力で引き戻されるアームの先端部に設けられた打ち出し用ハンドでシャトルを後ろから叩き出すものである。アームの回転軸と同芯上にモーターの出力軸が設置され、モーターの回転によりアームを回転させてバネの最大たわみ点まで回転させ、バネの張力でアームを引き戻し先端部分でシャトル尾部の羽根の内側、コルクの後部を叩いて放出させる。
【発明の効果】
【０００５】
これによりシャトルの飛翔姿勢は打ち出しから着地までシャトルが回転すること      なくきれいな放物線を描くことが出来る。シャトルによる打撃練習は、シャトルがボールのように遠くに飛ぶことがなく、集めやすく、ボールに比べて安全であることと、バットがシャトルの芯に当たらなければ狙った方向には飛ばないのでボールと同様に打撃の集中力を高めることが出来る。
【発明を実施するための最良の形態】
【０００６】
この発明の実施形態を図１に示す。
【実施形態の効果】
【０００７】
シャトルによる安全かつ安定した打撃練習を一人でおこなうことが可能となる。    
【他の実施形態】
【０００８】
シャトル放出機の背後上方に試合時のネットの高さでリングにネットを張って袋状にしたものをゴールとして設置して、シャトルを打ち返してゴールに入れるよう      に練習すると集中力を高めるための効果的な練習が期待できる。また、シャトル放出機の下に別途左右の揺動機構を設けてランダムな方向に放出されるシャトルを打ち返す練習も可能である。
【図面の簡単な説明】
【０００９】
【図１】本発明のシャトル放出機の外観図である。複数のシャトルを収納するストッカー１と一個一個に分離して落下せしめるシャトル分離機構２、分離して落下したシャトルの向きを導くガイド３、シャトルが滑走し底部に停止せしめる止め羽根１２を備えた滑走レール４、停止したシャトルを後部から叩いて飛ばすためのハンドを具備したアーム５、アームを回転せしめるモーター６、アームをクランク機構の上死点から引き戻すバネ７、シャトル分離機構を駆動させるリンク８からなる。
【図２】シャトル分離機構の動作図である。モーターの回転運動がリンクによって直線運動に変えられこのリンクの他端が開閉アーム駆動軸１０に軸支されたクランクアーム９を角度θで揺動せしめる。開閉アーム駆動軸に軸支された上部開閉アームと下部開閉アームが、把持爪開閉   軸１１によって支持され把持爪の他端が開閉アームの角度θの揺動によって把持爪を開閉せしめるものである。上部把持爪と下部把持爪はほぼ１／２θの角度と残りの１／２θの角度毎に交互に開閉を繰り返し、最下端のシャトルと２番目のシャトルを交互に把持爪で開閉することにより１個ずつの分離落下が可能になる。
【図３】シャトルの滑走を停止せしめる止め羽根を示す。落下したシャトルは滑走レールを滑走し底部の両側面に取り付けられた止め羽根によりシャトル先頭部分をレール中央部に定置せしめられ停止する。
【符号の説明】
【００１０】
１  シャトルストッカー
２  シャトル分離機構
３  シャトル落下ガイド
４  滑走レール
５  打ち出しアーム
６  駆動モーター
７  バネ
８  シャトル分離機構駆動リンク
９  クランクアーム
１０  開閉アーム駆動軸
１１  把持爪開閉軸
１２  止め羽根
【図１】
2010035577.tif 000003
【図２】
2010035577.tif 000004
【図３】
2010035577.tif 000005
(57)【要約】【課題】  ベントを設けても風きり音が発生し難い耳あな型補聴器を提供する。【解決手段】  外界と外耳道を連通する略楕円形状のベント４を設けた耳あな型補聴器において、ベント４の外界側開口部５のエッジ６に丸みを付けた。これにより、ベント４の外界側開口部５に尖ったエッジが形成されなくなるので、笛が鳴るような風きり音が発生し難くなる。また、ベント４の内壁７に少なくとも凸部８を一つ設けた。これにより、凸部８による共振を弱める働きによって、音の発生を軽減することができるので、笛が鳴るような風きり音が発生し難くなる。【選択図】        図２
2010147825.tif 000002
【特許請求の範囲】
【請求項１】
外界と外耳道を連通する略楕円形状のベントを設けた耳あな型補聴器において、前記ベントの外界側開口部のエッジに丸みを付けたことを特徴とする耳あな型補聴器。
【請求項２】
外界と外耳道を連通するベントを設けた耳あな型補聴器において、前記ベントの内壁に少なくとも凸部を一つ設けたことを特徴とする耳あな型補聴器。
【発明の詳細な説明】
【技術分野】
【０００１】
本発明は、外界と外耳道を連通するベントを設けた耳あな型補聴器に関する。
【背景技術】
【０００２】
従来、装用者の外耳道形状に合わせて作製する耳あな型補聴器１００には、図４（ａ）に示すように、こもり感を軽減させるためにシェル１０１にベント１０２が設けられている。また、外耳道をほぼ開放状態にするためにベントを太くした補聴器が知られている（例えば、特許文献１参照）。更に、乱流に起因する風雑音を信号処理で軽減させる技術が公開されている（例えば、特許文献２参照）。
【０００３】
【特許文献１】特開２００８−１９９１９２号公報
【特許文献２】特開２００６−２７０９５２号公報
【発明の開示】
【発明が解決しようとする課題】
【０００４】
しかし、図４（ｂ）に示すように、ベント１０２の外界側開口部のエッジ１０３が尖っている場合には、そこに強い風が当たるとエッジトーンの影響でピーピーと笛のような風きり音が発生し易くなり、装用者にとって不快である。また、ベントを太くしても、ベントの外界側開口部のエッジが尖っている場合には、そこに強い風が当たるとエッジトーン及びベント空洞の共振周波数の影響で笛が鳴るような風きり音が発生し易くなり、装用者にとって不快である。
【０００５】
信号処理による風雑音の抑制方法は、発生した風雑音がマイクロホンへ入力した場合に信号処理で抑制させイヤホンから外耳道へ出力し難くする技術なので、ベントを通じて直接外耳道へ達する風雑音については効果がない。風きり音の対策を課題とする技術は公開されていない。
【０００６】
本発明は、従来の技術が有するこのような問題点に鑑みてなされたものであり、その目的とするところは、ベントを設けても風きり音が発生し難い耳あな型補聴器を提供しようとするものである。
【課題を解決するための手段】
【０００７】
上記課題を解決すべく請求項１に係る発明は、外界と外耳道を連通する略楕円形状のベントを設けた耳あな型補聴器において、前記ベントの外界側開口部のエッジに丸みを付けたものである。
【０００８】
請求項２に係る発明は、外界と外耳道を連通するベントを設けた耳あな型補聴器において、前記ベントの内壁に少なくとも凸部を一つ設けたものである。
【発明の効果】
【０００９】
請求項１に係る発明によれば、ベントの外界側開口部に尖ったエッジが形成されなくなるので、笛が鳴るような風きり音が発生し難くなる。
【００１０】
請求項２に係る発明によれば、凸部による共振を弱める働きによって、音の発生を軽減することができるので、笛が鳴るような風きり音が発生し難くなる。
【発明を実施するための最良の形態】
【００１１】
以下に本発明の実施の形態を添付図面に基づいて説明する。ここで、図１は本発明に係る耳あな型補聴器の斜視図、図２は要部断面図、図３は別実施の形態の要部断面図、図４は従来の耳あな型補聴器の説明図である。
【００１２】
本発明に係る耳あな型補聴器は、図１に示すように、樹脂製のシェル１とフェースプレート２でケース体３を形成し、ケース体３の内部にはボタン形の電池、マイクロホン、補聴処理部やイヤホンなどの補聴器を構成する電気部品が設置されている。また、シェル１には、断面が略楕円形状のベント４が形成されている。フェースプレート２には、各種のスイッチ類５や回動自在な電池ホルダ６などが取り付けられている。
【００１３】
シェル１は、装用者の外耳道形状データからＣＡＤ（Computer Aided Design）により、コンピュータ上で形状が設定され、光造形法で自動的に作製される。ベント４の形状、位置や太さなどもコンピュータ上で設計することができる。
【００１４】
図４（ａ）に示す従来の耳あな型補聴器のように、通常１ｍｍ程度の直径であるベント１０２にくらべて、本発明ではベント４を可能な限り太くすることが可能である。ベント４が太くなれば、外耳道は開放された状態とほとんど変わらなくなり、こもり感が低減され、装用が快適なものとになる。
【００１５】
また、ベント４の外界側開口部５のエッジ６は、図２に示すように、丸められている。エッジ６が尖っていると、エッジトーンの影響でピーピーと笛のような音がするからである。更に、ベント４の内壁７に凸部８を少なくとも１つ設けることができる。本実施の形態では、ベント４の通気経路の一部をさえぎる板状の凸部８を２つ設けている。
【００１６】
ベント４の外界側開口端５と各凸部８の間隔が規則的にならないように凸部８を配置すれば、共振周波数のピークを下げて共振を弱めることができる。特定の周波数に対応させる目的であれば、それに合わせた規則性のある配置にしてもよい。光造形法でシェル１を作製するので、エッジ６の形状も凸部８の形状及び配置も、コンピュータ上で設定することができる。エッジ６に丸みを付ける（Ｒをつける）か、凸部８を設けるかについては、どちらか一方でもよい。
【００１７】
また、ベント４の内壁７に凸部８を設ける替わりに、ベント４の内壁７に、図３に示すように、ランダムな凸凹部９を形成して共振を弱めて共振周波数の音の発生を軽減することもできる。
【産業上の利用可能性】
【００１８】
本発明によれば、ベントを設けても装用者にとって不快に感じる笛が鳴るような風きり音が発生し難い耳あな型補聴器を提供することができる。
【図面の簡単な説明】
【００１９】
【図１】本発明に係る耳あな型補聴器の斜視図
【図２】本発明に係る耳あな型補聴器の要部断面図
【図３】別実施の形態の要部断面図
【図４】従来の耳あな型補聴器の説明図で、（ａ）は斜視図、（ｂ）は要部断面図
【符号の説明】
【００２０】
１…シェル、２…フェースプレート、３…ケース体、４…ベント、５…外界側開口部、６…エッジ、７…内壁、８…凸部、９…凸凹部。
【図１】
2010147825.tif 000003
【図２】
2010147825.tif 000004
【図３】
2010147825.tif 000005
【図４】
2010147825.tif 000006
(57)【要約】【課題】ICチップ内に携帯電話の通話を検知する回路及び携帯電話器への妨害電波を発生する回路を内蔵した無線ICタグを提供すること。【解決手段】ICタグは１〜２ｍ周囲内の検出範囲に有る携帯電話から発信される電磁波を受信して起電力を発生するアンテナ１００と通話を検出する１０１、通話を検出した１０１は妨害電波の発生指令を妨害電波発生回路１０２に送り、指令を受けた妨害電波発生回路１０２は携帯電話帯域での妨害電波を作成し送信する。【選択図】図１
2010147846.tif 000002
【特許請求の範囲】
【請求項１】
支持基板と、前記支持基板の一面に形成されたアンテナと、前記支持基板に搭載されたICチップとを備えた無線ICタグであって、
前記ICチップに携帯電話からの電磁波による通話状態を検出する内部回路を組み込んだことを特徴とする無線ICタグ。
【請求項２】
支持基板と、前記支持基板の一面に形成されたアンテナと、前記支持基板に搭載されたICチップとを備えた無線ICタグであって、
前記ICチップに携帯電話周波数帯域での妨害電波を送信する抑止回路を組み込んだことを特徴とする無線ICタグ。
【請求項３】
通信にてデータの送受信を行わないことを特徴とする無線ICタグ。
【発明の詳細な説明】
【技術分野】
【０００１】
本発明は、携帯電話の通信機能を抑制する無線ICタグに適用して有効な技術に関するものである。
【背景技術】
【０００２】
近年における携帯電話の著しい普及に伴い、携帯電話の使用が不都合な空間内での携帯電話の使用が問題になってきている。
携帯電話の利用者に注意を呼びかけて自主的な通話禁止等を促す場合が多いが、携帯電話の使用を望む利用者の各種の事情を加えて単純な不注意等の理由もあり。携帯電話利用者の全てに確実に通話を禁止させることを行わせるには困難である場合が多い。
【０００３】
このような事情に鑑み、特定の空間内で携帯電話での通話による音声を検出し表示や音声で警告する、又は強制的に携帯電話の通信を抑制する装置など各種の技術が開発されているが、そのような技術の一つとして、図３に示すよう携帯電話システムの基地局３００から移動局３０１に対して送信される電波に対して携帯電話抑制装置３０２がつねに広範囲に妨害電波を発信してバリア網を形成することにより、携帯電話の受信機のポーリングを妨げ通信を遮断する技術が存在している。この場合には緊急時の連絡も受けられないことから不都合な問題があります。
【特許文献１】特開２００６−１２８９４５
【０００４】
他では、人為的に携帯電話の通話を抑制する機器、例えば図４に示すように、他の人４０４がスイッチを操作する事で２〜３ｍの範囲で移動局３０２に対して妨害電波を発信しその影響で通話を抑制するようにしたものが存在する。
同様な方法でも自動車内で携帯電話の使用を抑制する装置では自動車の走行を検出し、それにより妨害電波を車内に送信するなども存在する。
【特許文献２】特開２００８−１３６０８３
【発明の開示】
【発明が解決しようとする課題】
【０００５】
従来のこのような機器システムでは特定の空間内に意図的又は強制的に携帯電話の通話を抑制する装置であり、通話をしていない場合でもつねに妨害電波が発信され、人体への影響を無視できない問題があります。
【０００６】
広範囲にバリア網を形成する装置では、無線免許を必要とするものも有り導入コストが高い、又維持管理も必要となることから導入に踏み切れない問題が有る。
【０００７】
小範囲で無線免許を必要としないものでも特定の使用場所を対象に製作された機器で用途が限られるなどの問題が有る。
【０００８】
迷惑な携帯電話の通話に対して意図的な操作で妨害電波を送信し通話抑制を行う機器では、それを使用する事情や理由が必要です、又操作者を特定できないため安易な使用による社会的な問題が発生する恐れがあります。
【課題を解決するための手段】
【０００９】
この改善案として、RFIDの研究開発が進んできた事もあり無線ICタグは安く製造されるようになってきております、一部ではICカードなどにも応用され、さらに今後研究開発が進む分野と考えられます。
本発明では、無線ICに携帯電話用の妨害電波発信器を内蔵したことを特徴とし、携帯電話の通話抑制に低価格で利用範囲の広い技術として提供します。
【発明の効果】
【００１０】
よって、本発明では、無線ICに携帯電話の妨害電波発信器を内蔵した無線ICタグ提供し、携帯電話の通話を検出した後に妨害電波を発生させることにより携帯電話の通話抑制を行う事を特徴としています。着信などは許可される、通常は電気を使用しない、安く提供できる、維持管理が不要などの利点を有し、しかも応用範囲が広く携帯電話の通話抑制の効果を得られるものです。
【発明を実施するための最良の形態】
【００１１】
以下に本発明を実施するための動作形態について図面を参照して説明する。
【実施例１】
【００１２】
図２は本発明を適用した実施形態に係る携帯電話の通話抑制方法を表した図である。
【００１３】
図２−１が示すよう、通常では基地局２００と携帯電話２０１はポーリングにより位置情報取得や送信電力制御が短時間の通信で行われています。そのため通話されていない状態では無線ICタグ２０２では電磁波による起電力は小さく通話状態を検出しない、静止状態となっています。
【００１４】
図２−２に示すよう、無線タグの検出範囲内で通話が開始されると基地局２００と携帯電話２０１は連続的な通信状態となります。そのため無線ICタグでは電磁波による起電力が大きくなり通話状態を検出します。
【００１５】
図２−３に示すよう、通話を検出すると携帯電話２０１への妨害電波を発信し基地局２００と携帯電話２０１の通信を妨害することで接続を切断します。通話が切断されると元の静止状態図２−１に戻ります。
よって、携帯電話による通話は成立しないという抑制効果を与えることが可能になります。
【産業上の利用可能性】
【００１６】
携帯電話の通話が不快感を与える空間又は障害や問題を与える空間に有効とおもわれる。抑制応用として公共機関の乗り物、あるいは学校などの公共施設、ATMからの振り込み詐欺への防止など幅広い利用が可能です。
【図面の簡単な説明】
【００１７】
【図１】本発明の無線ICタグのブロック図である
【図２】図１に示す無線ICタグを使用した一実施形態における動作説明図である。
【図３】従来の携帯電話の通話抑制システムである一つの方式を示す図である。
【図４】従来の携帯電話の通話抑制を行う別の方式を示す図である。
【符号の説明】
【００１８】
１００    アンテナ
１０１    通話検出部
１０２    妨害電波発生部
１０３    電磁波
２００    基地局
２０１    移動局
２０２    無線ICタグ
３００    基地局
３０１    移動局
３０２    携帯抑制装置
４００    基地局
４０１    移動局
４０２    携帯抑制装置
４０３    人間
【図１】
2010147846.tif 000003
【図２】
2010147846.tif 000004
【図３】
2010147846.tif 000005
【図４】
2010147846.tif 000006
(57)【要約】【課題】  休憩又仮眠を取る際、頭や足が圧迫されないように横になれる事を可能にする。【解決手段】  後部座席をフラットにしたことにより体を横になって休憩又仮眠できる。【選択図】図１
2010215212.tif 000002
【特許請求の範囲】
【請求項１】
後部座席をフラットにした事を特徴とする。熟睡できる乗用車。
【発明の詳細な説明】
【技術分野】
【０００１】  本発明は、ドライブをする際の休憩又寝る場合熟睡できる。乗用車に関するものである。
【背景技術】
【０００２】  今現在あるリクライニングは、前の座席を一番前に持っていき背もたれ部分の枕を取り外し背もたれを後ろに倒し、後部座席の背もたれ部分を斜め４５度に倒すと、フラットになるが、室内全体がフラットにならず、身長の高い人は、後部座席の背もたれが障害となり頭部が、くの字になり首が痛く快適とは、言えない。【０００３】  もちろん後部座席の背もたれを後ろに倒すと荷物も置けなくなる。荷物を置くため後部座席の背もたれを前に倒すとフラットになるが、重たいものをスペアタイヤが収納している上の蓋の上に載せると、蓋が破損するなど問題があった。【０００４】  普通乗用車、軽乗用車を運転又は乗っている人は一人又は二人が多い。後部座席が無くても荷物や多目的に利用したほうが楽しい。【０００５】  後部座席の背もたれを手前に倒してフラットにした状態で仮眠又は足を伸ばして休憩するさいに飲み物又は食べ物をフラットになった面、下におくと飲食物がこぼれたり倒れたりする問題点があった。仮眠を取る際にフラットになった面もごつごつして快適ではない。
【先行技術文献】
【特許文献】
【０００６】
【特許文献１】特開２００９−００００００号公報
【発明の概要】
【発明が解決しようとする課題】
【０００７】  解決しようとする問題点は、ドライブをした際に休憩が快適でない点である。
【課題を解決するための手段】
【０００８】  本発明は、乗用車の後部座席を撤去して床の状態にして室内を完全にフラットにした点が最も主要な特徴とする。
【発明の効果】
【０００９】  本発明の熟睡できる乗用車は、凸凹の面が無くなり、まるで家のリビングの様な感じで体を横になって休憩することが出来るし、又は寝袋を使えば寒い所でも車のエンジンを切った状態で騒音振動が無い状態で寝ることも出来るし、大型の商品などその時々によってさまざまな使い道がある。休憩又は仮眠する際、足の先まで伸ばせれる。座席シートのごつごつする感じもなくなるのでとても快適なところがあり、使い方によりいろいろな使い道がある利点がある。
【図面の簡単な説明】
【００１０】
【図１】  図１は熟睡できる乗用車の実施方法を示した説明図である。
【図２】  図２は熟睡できる乗用車の実施方法を示した説明図である。
【図３】  図３は熟睡できる乗用車の実施方法を示した説明図である。
【発明を実施するための形態】
【００１１】  車で旅行をする際疲れたとき仮眠又休憩を快適にとるという目的を後部座席を取ることにより実現した。
【実施例１】
【００１２】  図１は、本発明装置の１実施例の平面図であって、車の室内をフラットにしたもので、図２は、床表面の断面図で、図３、図４は、左右からの断面図である。１は板、２はフロアーマットである。
【産業上の利用可能性】
【００１３】  低燃費、乗り心地のよさ、コンパクト、大容量に荷物が積めることからいろんな用途に適用できる。
【符号の説明】
【００１４】  １  板
２  フロアーマット
【図１】
2010215212.tif 000003
【図２】
2010215212.tif 000004
【図３】
2010215212.tif 000005
【図４】
2010215212.tif 000006
【手続補正書】
【提出日】平成21年5月20日(2009.5.20)
【手続補正１】
【補正対象書類名】明細書
【補正対象項目名】００１０
【補正方法】変更
【補正の内容】
【００１０】
【図１】  図１は熟睡できる乗用車の実施方法を示した説明図である。
【図２】  図２は熟睡できる乗用車の実施方法を示した説明図である。
【図３】  図３は熟睡できる乗用車の実施方法を示した説明図である。
【図４】  図４は熟睡できる乗用車の実施方法を示した説明図である。
(57)【要約】【課題】    多品種のボトルとチューブ付キャップに対応したキャッパーを高速且つ安価に提供する。【解決手段】ボトルねじ部（Ｗ１）を基準とし、キャップチューブ先端（Ｗ２）との距離を一定とする機構を設け、チューブ挿入を簡単にし多品種対応できるキャッパーを特徴とする。【選択図】図３
2010215289.tif 000002
【特許請求の範囲】
【請求項１】
ボトルねじ部（Ｗ１）を基準とし、キャップチューブ先端（Ｗ２）とボトル口元までの距離を一定とする事で多品種のチューブ挿入を容易にし高速化が可能になった多品種対応チューブ付キャッパー装置。
【発明の詳細な説明】
【技術分野】
【０００１】本発明は、多品種のボトルに対応したチューブ付キャッパーに関する物である。
【背景技術】
【０００２】従来、チューブ付キャッパーは多品種の為、兼用機は困難であった。
【発明の開示】
【発明が解決しようとする課題】
【０００３】ボトル及びチューブ付キャップの種類は多品種あり、ボトルにチューブを挿入する工程とねじ締め工程の兼用化は難しく対応したキャッパーは無かった。本発明はこれを可能にした装置である。
【課題を解決するための手段】
【０００４】ボトルねじ部（Ｗ１）を基準とし、キャップチューブ先端（Ｗ２）とボトル口元までの距離を一定とする機構を設ける。本発明はこれにより多品種対応を可能にした高速チューブ付キャッパーである。
【発明の効果】
【０００５】ボトル形状及びキャップ付チューブ長さが違っても又、曲がりがあってもボトルにチューブを挿入することが簡単に可能になり多品種対応可となる。さらに、ねじ部（Ｗ１）位置が共通高さの為、容易にキャップ締めもできる。
【発明を実施するための最良の形態】
【０００６】以下、本発明を実施するための最良の形態について説明する。
ボトルは、ねじ部（Ｗ１）を基準とする様ライン上に供給する。一方チューブ付キャップはタイプによりａ．ｂ．ｃ．いずれかから供給し、８分割ドラム上のチャックにより保持される。搬送中にボトルねじ部（Ｗ１）とチューブ先端（Ｗ２）との距離をロボットにより一定に合せる。（品種対応する）
ライン上のボトル位置にキャップが来たときに、チューブ先端をガイドで保持後挿入しキャップをかぶせる。次にライン上でねじ締めを行なう。ねじ部（Ｗ１）が共通高さ位置にあるのでねじ締めが簡単である。
本発明によらないで直接チューブを入れる方法は一般的に考えられるが、機構が複雑且つ高価になり高速化及び多品種対応には不利である。
【図面の簡単な説明】
【０００７】
【図１】  本発明の説明図である。
【図２】  本発明の全体図である。
【図３】  本発明の断面図（Ａ−Ａ）である。
【符号の説明】
【０００８】１．ボトル
２．キャップ
３．チューブ
４．８分割ドラム
５．ボトル搬送ライン
【図１】
2010215289.tif 000003
【図２】
2010215289.tif 000004
【図３】
2010215289.tif 000005
(57)【要約】【課題】  キャップがネジ式の液体用の容器の液体を直接飲むとき、こぼれにくいように、口先にネジがない容器を提供する。【解決手段】  容器の口先とネジの部分までに距離を作ったことを特徴とする。【選択図】図１
2010215290.tif 000002
【特許請求の範囲】
【請求項１】
キャップがネジ式容器の口部分で一部をネジ無しにした容器とキャップ。
【発明の詳細な説明】
【技術分野】
【０００１】この発明は、キャップがネジ式である容器の飲み口を飲みやすくした容器である
【背景技術】
【０００２】従来は、キャップがネジ式の飲み物容器は口先近くまでネジがあった。
【発明の開示】
【発明が解決しようとする課題】
【０００３】これは、次のような欠点があった。
口先からネジ部分までの最短部の距離は約２ｍｍ程度であり、直接飲むと、ネジ部分があることにより、唇と容器の間に隙間ができ、液体がこぼれることがあった。
本発明は、以上のような欠点をなくすためになされたものである。
【課題を解決するための手段】
【０００４】  口先からネジ部分までの３ｍｍ以上の距離を作る。キャップもそれに合わせて作る。
【発明の効果】
【０００５】  直接飲むとき唇を軽く押し当てるだけで、液体がこぼれることも少なく口あたりもよく、すみやかに心地好く飲むことができる。
【発明を実施するための最良の形態】
【０００６】  以下、本発明を実施するための最良の形態について説明する。
口先よりネジの部分までの最短部の距離を、唇が触れるスレート部分として８ｍｍ程度長くする。キャップもそれに合わせて作る。
本発明は以上のような構造である。
【図面の簡単な説明】
【０００７】
【図１】本発明の斜視図である。
【図２】本発明の断面図である。
【符号の説明】
【０００８】１    容器
２    キャップ
３    ストレート部分
【図１】
2010215290.tif 000003
【図２】
2010215290.tif 000004
(57)【要約】【課題】    従来の開栓構造はプルタブを指で引っ掛け、開口部を外すものであり、外しにくく、外したショックで内容物が飛散し手を汚すこともある。【解決手段】    突起を持つタブを回動自由に設け、肉厚を薄くした輪郭で形成した開口部を容器天板に設けたものである。プルタブを引き起こし回転させ、プルタブに設けた突起を開口部に当てて押し付けることにより開口部を形成する薄い溝を破る。この際、内容物の飛散はプルタブ自体がくいとめる。【選択図】図１
2010215291.tif 000002
【特許請求の範囲】
【請求項１】
肉厚を薄くして形成した開口部を持つ容器天板に、プルタブを回動自由に取り付ける、そして、突起をプルタブ、または、開口部に設けた開栓構造。
【請求項２】
容器天板の肉厚を薄くして形成した開口部と、容器天板の肉厚を薄くして形成した小開口部を設ける、そして、突起を持つプルタブを容器天板に回動自由に取り付けた開栓構造。
【発明の詳細な説明】
【発明の詳細な説明】
【技術分野】
【０００１】  本発明は、容器の開栓構造に関するものである。
【背景技術】
【０００２】  従来の容器は容器天板に周囲を弱くした開口部を作り、そして、容器天板上に指をかけるプルタブを設けている。（例えば、特許文献１参照。）
【先行技術文献】
【特許文献】
【０００３】
【特許文献１】  特開２００５−１５３９９２号  公報
【発明の概要】
【発明が解決しようとする課題】
【０００４】  従来のプルタブをもつ容器の開栓構造においては、プルタブが小さく指がかけにくく、プルタブを引っ張り開口部を開ける際に、内容物が飛散して手を汚すことがある。【０００５】  本発明は、従来の構造が持つ問題を解決しようとするものであり、開口部を容易に開けて、内容物の飛散を防止することを目的とするものである。
【課題を解決するための手段】
【０００６】  上記の課題を解決するため、本発明ではプルタブと肉厚を薄くした輪郭で形成した開口部を容器天板に設け、そして、突起をプルタブ、または、開口部に設けたものである。【０００７】  また、第２の解決手段は突起を持つプルタブと、肉厚を薄くして形成した開口部を容器天板に設け、更に、開口部内部に小開口部を設けたものである。【０００８】  上記第１の課題解決手段による作用は次のとうりである。すなわち、プルタブを引き起こし回転させ、プルタブに設けた突起を開口部に当てて押し付けることにより開口部を形成する薄い溝を破る。この際、内容物の飛散はプルタブ自体がくいとめる。【０００９】上記第２の課題解決手段による作用は、上記第１の課題解決手段と同様にプルタブを引き起こし回転させ、プルタブに設けた突起を小開口部に当てて押し付けることにより小開口部を突き破り、容器内部のガスを抜き、更に力を加え、開口部を破る。この際、内容物の飛散はプルタブがくいとめる。
【発明の効果】
【００１０】  上述したように本発明の開栓構造は、開口部を容易に開け、また、内容物の飛散を防止することができる。
【図面の簡単な説明】
【００１１】
【図１】第１の実施形態の容器天板の斜視図である。
【図２】図１の容器天板の断面図である。
【図３】第２の実施形態の容器天板の斜視図である。
【発明を実施するための形態】
【００１２】  以下、本発明を発明の実施形態に基づいて詳細に説明する
【００１３】  実施例について図面を参照して説明すると、図１のように突起３を設けたプルタブ２を容器天板４のリベット５に回動自由に取り付け、そして、容器天板４の肉厚を薄くして形成した開口部１作る。図２のようにプルタブ２を引き起こし回動させ、プルタブ２に設けた突起３を開口部１に当てて押し付けることにより開口部１を形成する薄い溝７を破る。この際、内容物の飛散はプルタブ２自体がくいとめる。
【００１４】  他の実施例としては図３のように、突起３を設けたプルタブ２を容器天板４のリベット５に回動自由に取り付け、そして、容器天板４の肉厚を薄くして形成した開口部１と、更に、開口部１の内部に小開口部６を設ける。プルタブ２を引き起こし回動させ、プルタブ２に設けた突起３を小開口部６に当てて押し付けることにより、突起３が小開口部６を突き破り、容器内部のガスを抜き、更に力を加え、開口部１を開ける。この際、内容物の飛散はプルタブ２がくいとめる。本実施例では小開口部６は開口部１の内部に設けているが、小開口部６と開口部１を近接して設けてもよい。
【符号の説明】
【００１５】  １  開口部
２  プルタブ
３  突起
４  容器天板
５  リベット
６  小開口部
７  溝
【図１】
2010215291.tif 000003
【図２】
2010215291.tif 000004
【図３】
2010215291.tif 000005
(57)【要約】【課題】安価であって、何時でも何処でも安全・容易にイチゴのヘタを取る器具をイチゴパック（容器）に提供する。【解決手段】イチゴのヘタ取り器具は、先端が刃物のように鋭利で、かつ先端部の半分は斜めにカットされている。イチゴのへた部分に差し込むにあたっては、刃物なみの鋭角でなければその効果を発揮できないためである。  さらに、ヘタ芯部分を半円に囲むように切れ目を入れることが切除のポイントである。このとき、ヘタ取り器具を動かさずイチゴを半回転させると容易にヘタを取り除くことができる。このイチゴのヘタ取り器具を容器（イチゴパック）に内包付着するものである。【選択図】    図１
2010215240.tif 000002
【特許請求の範囲】
【請求項１】
イチゴのヘタ取り器具（３）は竹及び木製で長さ7cmから13ｃｍ、幅1ｃｍ、厚み3ｍｍ程度、先端が鋭利な刃物状で、その半分は斜めにカットした構造（４）である。このイチゴのヘタ取り器具（２）をイチゴパックに内包する。
【発明の詳細な説明】
【技術分野】
【０００１】
本発明はイチゴのヘタ部分を無駄なく容易に取り除き、同時に食べる場所を選ばず、イチゴを美味しく食べられることを目的に、イチゴのヘタ部分を無駄なく容易に取り除くことのできる器具をイチゴパックに内包するものである。
【背景技術】
【０００２】
一般に商店で販売されているイチゴは透明のプラスチック容器に入れられ、上部は透明のフィルムで覆われている。このイチゴパックにイチゴのヘタ取り器具の付いているものは見当たらない。イチゴパックに一目で安価な器具であって、ヘタ取り方法がわかる説明図が添付されていると大変便利であると考える。
【発明の概要】
【発明が解決しようとする課題】
【０００３】
（イ）指でイチゴのヘタを取ろうとすると、爪に果肉がはさまり不快な思いをする。また、芯部分を取り除くのは難しい。
（ロ）指だけで取れないときは、爪でイチゴの額をつまみ、ヘタを残すように前歯で咬み切らなければならず不恰好で煩わしい。
（ハ）小さなイチゴに対して包丁やナイフでヘタを取るには刃の部分が大きすぎるため、ヘタ周辺部分を大きく切除しなくてはならず果肉までも切り取ってしまうことになる。また、子供には小さなイチゴのヘタ取りは危険がともなう。
（ニ）屋外でも手を汚さず安全に容易にイチゴのヘタを取ること。
【課題を解決するための手段】
【０００４】
・  イチゴのヘタ取り器具は、先端が刃物のように鋭利で、かつ先端部の半分は斜めにカットする。
・  器具をイチゴのへた部分に差し込むにあたっては、刃物なみの鋭利な角度で効果が発揮できる。
・  さらに、ヘタ芯部分を半円に囲むように切れ目を入れることがポイントであるため先端半分はナイフ型でなければ切り込めない。
・  なお、このときは器具を持った手の親指でヘタ部分を押さえ、器具を動かすのでなく、イチゴを回転させるとスムーズにできる。
・  そのために器具の厚みを３ｍｍ程度、長さを７ｃｍ以上１３ｃｍ程度の長さが最適である。器具を手のひら全体で握る事で少ない力で作業ができる。
・  器具の材質は金属製では安全性、経済性から不向きである。強度、経済性から竹及び木製が最適である。
（ト）このイチゴのヘタ取り器具をイチゴパックに内包する。
【発明の効果】
【０００５】
イチゴのヘタ取り器具をパックに内包する事により、刃物の準備をする必要なく、いつでもどこにあっても、果肉を無駄にせず、ヘタだけを容易に取り除くことができる。
【図面の簡単な説明】
【０００６】
【図１】容器（イチゴパック）にイチゴのヘタ取り器具を内包付着した図面
【図２】イチゴのヘタ取り器具の斜視図
【図３】イチゴのヘタ取り器具の先端部の図面
【発明を実施するための形態】
【０００７】
イチゴのヘタ取り器具は、竹及び木製で長さ7cmから13ｃｍ、幅1ｃｍ、厚み3ｍｍ程度、先端が鋭利な刃物状で、その半分は斜めにカットした構造である。
先端の半分が斜めにカットしていることによりイチゴのヘタ芯部分を容易に円錐形に切り取りのできることがポイントである。
ヘタを取るには、器具をイチゴのヘタ部分に斜めに差し込み、器具を持っている手の親指でヘタを押さえる。そして、ナイフで鉛筆を削るときに鉛筆を動かす要領で、器具を動かさないでイチゴを回転させるとヘタの切り取り、またはツマミ取りがスムーズにできる。
このイチゴのヘタ取り器具をイチゴパックに内包することによって、手を汚さず、包丁・ナイフの刃物の用意をすることなく、果肉を無駄にせず、いつでもどこでも容易にイチゴのヘタ取りができる。
使用説明図を描いた紙またはナイロン系の袋にイチゴのヘタ取り器具入れ、イチゴパックに内包及び付着する。
【符号の説明】
【０００８】
１容器（イチゴパック）
２袋入りイチゴのヘタ取り器具
３イチゴのヘタ取り器具
４イチゴのヘタ取り器具先端部分の図面
【図１】
2010215240.tif 000003
【図２】
2010215240.tif 000004
【図３】
2010215240.tif 000005